(57)【要約】      （修正有）【課題】フィルム蓋体を有する陽圧缶の開封時に切断後の開口エッジも形良く、整形にすることができ、さらに、開封操作に要する力も小さくてすみ、その結果、簡便かつ安全に開口できるフィルム缶蓋の開封具を提供する。【解決手段】陽圧缶容器の頂部を閉じる容器蓋４のフィルム部７を開封する開封具であって、開封具は輪状カッター部材２２とキャップ２１を備えキャップ２１は筒状の胴部と胴部の頂部を閉じる天板とが囲む空間を有して空間内に刃３３が中心線９の方向に上向き及び下向きの状態で輪状カッター部材２２の少なくとも一部分を収容可能である。輪状カッター部材２２をキャップ２１と一体的に回転させてフィルム部７を開封する。【選択図】  図１
2007084083.tif 000002
【特許請求の範囲】
【請求項１】
互いに分離・組付けが可能である、輪状カッター部材とキャップとからなる、フィルム部を有する容器蓋の該フィルム部を突き刺し切開・回転開封するためのオーバーキャップ型開封具であって、
該キャップの側上には外方側から少なくとも２箇所の凹部と、内部に少なくとも２箇所のアンダーカット部が設けられ、
該輪状カッター部材には少なくとも２箇所の鍔が設けられており、
該輪状カッター部材とキャップの組付けは、輪状カッター部材収納状態と、輪状カッター部材使用状態と、の二種類の状態に選択・組付け可能であり、
該収納状態にあっては、該輪状カッター部材は、刃が該キャップ天面側に向いた状態で保護・格納され、かつ、該輪状カッター部材の鍔が該キャップ凹部を外れた位置で該アンダーカットにより係止・組付けされ、
該使用状態にあっては、該輪状カッター部材は、刃が該キャップの内方から開口側を向いた状態で配置され、かつ、該輪状カッター部材の鍔が該キャップの凹部の下端部に係止・組付けられる、オーバーキャップ型開封具。
【請求項２】
該輪状のカッター部材の鍔には係止用孔が設けられ、該キャップ凹部の下端部には係止用凸状が設けられており、該開封具使用状態にあっては、該鍔の孔と該キャップ下端部の凸状が嵌着することにより係止・組付けされることを特徴とする請求項１に記載のオーバーキャップ型開封具。
【請求項３】
該輪状カッター部材の輪の内方にフランジが設けられていることを特徴とする請求項１または２に記載のオーバーキャップ型開封具。
【請求項４】
該輪状カッター部材の刃が波状であり、開封具を該フィルム部を有する容器蓋に押し込み、該波状刃を該フィルムに突き刺し切開した際、フィルムが輪状に、切部・未切部が交互に配置されるように部分的に切り開かれ、該未切部が一箇所当たり３ｍｍ以上切れ残るよう、該容器蓋のフィルム部外の部分に対して押し込み量を規制するストッパーが設けられていることを特徴とする請求項１〜３に記載のオーバーキャップ型開封具。
【請求項５】
該容器が粉体を陽圧状態で封入している陽圧缶であることを特徴とする請求項１〜４に記載のオーバーキャップ型開封具。
【請求項６】
缶容器の頂部を閉じる容器蓋のフィルム部を開封するオーバーキャップ型開封具であって、
前記開封具は輪状カッター部材とキャップを備えかつ缶容器の頂部を覆う状態に前記頂部に装着した状態で前記容器蓋のフィルム部を通る仮想の中心線の回りの回転が可能であって、
前記輪状カッター部材は環状のフレームと前記フレームから前記中心線方向に延出する刃とを有しかつ前記フレームは環状のフレーム本体と前記フレーム本体の前記中心線回りの一周のうちの所定の角度位置において前記フレーム本体から半径方向の外側に張り出している鍔とを有しており、
前記キャップは筒状の胴部と前記胴部の頂部を閉じる天板とが囲む空間を有して前記空間内に前記刃が前記中心線の方向に上向き及び下向きの状態で前記輪状カッター部材の少なくとも一部分を収容可能でありかつ前記キャップは前記空間内に前記中心線回りの一周のうちの所定の角度位置において前記輪状カッター部材を前記鍔において支持可能な凹部が外周部から内方に向けて突出して形成されており、
前記切刃を上に向けた状態で前記輪状カッター部材の全体を前記キャップの前記空間内に組付けることが可能で、前記刃を下に向けた状態で前記輪状カッター部材を前記キャップの前記空間内に組付けたときは前記輪状カッター部材が前記凹部に支持されて前記刃が前記容器蓋のフィルム部と干渉する位置に突出した位置になるように構成されることを特徴とする陽圧缶容器のオーバーキャップ型開封具。
【請求項７】
前記切刃を上に向けた状態で前記カッターを前記キャップの前記空間内に組付けたときは前記フレーム本体が前記凹部より前記中心線寄りに位置し前記鍔が前記凹部に一周方向に隣り合う前記凹部が設けられていない部分に位置しかつ前記フレームが前記缶容器の前記容器蓋のフィルム部と干渉しない位置にあり、前記切刃を下に向けた状態で前記カッターを前記キャップの前記空間内に組付けたときは前記フレーム本体が前記凹部より前記中心線寄りに位置し前記鍔が前記凹部の下面に当接して位置しかつ前記切刃が前記缶蓋の膜体部分と干渉する位置に突出した位置になるように構成されたことを特徴とする請求項６記載の陽圧缶容器のオーバーキャップ型開封具。
【請求項８】
前記鍔及び前記凹部は前記中心線回りに間欠的に複数形成されていることを特徴とする請求項６または７のいずれかに記載の陽圧缶容器のオーバーキャップ型開封具。
【請求項９】
前記凹部は前記キャップの前記胴部壁を前記中心線寄りに凹入して構成したことを特徴とする請求項６〜８のいずれかに記載の陽圧缶容器のオーバーキャップ型開封具。
【発明の詳細な説明】
【技術分野】
【０００１】
この発明はフィルム製の缶蓋を持つ陽圧缶を簡易に開封するための開封具に関するものである。
【背景技術】
【０００２】
飲食物等の内容物を充填し保存する容器として缶が使用されている。これらの缶は内容物を収容する缶胴とその缶胴の上端開口部を閉じる缶蓋とからなっていて、缶蓋はその外周縁部で缶胴の上端に巻き締め固定されている。
【０００３】
缶蓋は缶胴と同様に金属板製であることが多いが、缶蓋の一部分に金属箔やプラスチックのラミネートフィルム等の膜体を使用する場合がある。
【０００４】
本件特許出願の出願人は先にフィルム缶蓋を提案した（特開２００４−１６８３１８号）。この提案されたフィルム缶蓋は、中央部寄りに開口部を有し外周縁部に巻き締め部を有するめがね蓋とそのめがね蓋の中央開口部を気密に閉じるラミネートフィルム製の膜蓋とから成るものである。
【０００５】
缶を開封する場合には缶切り等の刃物で缶蓋を切り裂いて開口させるのであるが、この切り裂きの対象であるラミネートフィルム等の膜体は柔軟で剛性が小さく、かつ可撓性があるので予定された開口形状に切り裂くのが必ずしも容易ではない。
【０００６】
缶の内部圧力は内容物の種類に応じて陽圧、陰圧または無圧の状態になっており、例えば、内容物がコーヒーの場合は、コーヒー粉から炭酸ガスが発生するためドライアイス等を充填して缶を炭酸ガスで充満させて陽圧化したり、また、他の内容物の場合は、ヘッドスペース内の酸素が内容物に吸収されて内圧が陰圧となる場合があるが、ラミネートフィルムに刃物を当てて切り始めた瞬間に内圧により内容物のコーヒーの粉末の一部が噴出して顔面に吹きかかったり、周囲に散乱するという問題があり、また、缶内が外気圧より低い商品の場合も、急速に外気が流入し、内容物の特に粉末が吹き飛ばされて衣服等を汚損する恐れがある。さらに、円筒状のカッターを用いて開封を行った場合、缶蓋を構成するフィルムが一度に全部切れ落ち、陽圧の場合にはフィルムの突出、陰圧の場合はカッターが手ごと缶内に入り込み、安全、衛生上好ましくない。
この傾向は缶蓋が予定された整った開口形状に切り裂くことができない場合に強まることになる。また、開封操作に大きな力を要する場合には、老人や女性には円滑な開封操作が困難になる。
【０００７】
【特許文献１】実開昭５７−１１７２５号
【特許文献２】実開平１−９６８３２号
【特許文献３】実開昭６１−１４９５７６号
【特許文献４】特開２００２−３３７８９５号
【特許文献５】特開昭５２−１４８３８９号
【特許文献６】特開２００１−１０６２４８号
【特許文献７】特開２００３−２６２１９号
【特許文献８】特開平７−３３０００９号
【発明の開示】
【発明が解決しようとする課題】
【０００８】
容器の注出口を閉じている金属箔やプラスチックのラミネートフィルムを切断して開封する技術の例としては、上記の特許文献に示すものがある。特許文献１の技術は容器のプラスチック被覆アルミシート製蓋体に刃筒２６を突き立てて切り裂き開封するものであり、特許文献２の技術は容器本体の上端面上を閉じるフィルム９を操作体１４の刃１７で切り裂いて開封するものであり、特許文献３の技術はストローを差し込んで内容液を吸引するにつれて、容器内が減圧になるのを防ぐために、容器内外圧力平衡用容器通路を形成するための突出部７を開封用ストローの外面に設けたものであり、特許文献４の技術は、バッグインボックスの内容物取出口２０をカッターで開封するものであり、特許文献５の技術はフィルム製の蓋体３の注出口を形成しようとする部分にキャップを接着剤で接着しておき、開封時にキャップを回して蓋体をねじ切り開封するものであり、特許文献６の技術は密封パッケージを開口装置２のカッター５５を差し込んで開封するものであり、特許文献７の技術は密封パッケージを開口装置２の管状切断部材８を差し込んで開封するものであり、特許文献８はボトルの口部を閉じているアルミ箔３４をキャップの刃先２８で切断して開封するものである。
【０００９】
しかるに、これらの切断開封の技術は容器内部が常圧のものについてのものであるので、これらは容器内部が加圧されている陽圧缶の開封には適用することができない。
【００１０】
一方、この特許出願の出願人は先に陽圧缶の開封具を出願した（特開２００５−２３１６４０号）。この出願で提案された開封具は、フィルム蓋体をもつ陽圧缶の上端部を覆うカバーキャップの内側に切刃を出没可能に取り付け、開封時には切刃を露出させてカバーキャップごとフィルム蓋体に押し付け、切刃をフィルム蓋体に刺し込んだ状態でカバーキャップをフィルム蓋体の中心の回りに回転させ、フィルム蓋体を切断して開封するものであって、陽圧によるフィルムの張りを利用して切刃の突き立て、刺し込みを容易にし、フィルム蓋体の周縁部を形良く切断して開封することができる。しかし、この場合は切刃をキャップに取り付ける部分にヒンジが設けられていて、この部分にカバーキャップを回転させた時の力が作用するので、ヒンジ部の破損を避けるための工夫が必要になる。
【００１１】
この発明は上記の如き事情に鑑みてなされたものであって、フィルム蓋体を有する陽圧缶の開封時に内容物を巻き込んだガスの吹き出しを防ぐことができ、また、構造が簡単で、キャップとカッターの組合が強固であり開封時の切刃の動作を安定させて、フィルム蓋体の切断動作を良好にし、切断後のフィルム蓋体の容器内への落ち込みを防止することができ、しかも切断後の開口エッジも形良く、整形にすることができ、さらに、開封操作に要する力も小さくてすみ、その結果、簡便かつ安全に開口できるフィルム缶蓋の開封具を提供することを目的とするものである。
【課題を解決するための手段】
【００１２】
この目的に対応して、この発明のオーバーキャップ型開封具は、互いに分離・組付けが可能である、輪状カッター部材とキャップとからなる、フィルム部を有する容器蓋の該フィルム部を突き刺し切開・回転開封するためのオーバーキャップ型開封具であって、該キャップの側上には外方側から少なくとも２箇所の凹部と、内部に少なくとも２箇所のアンダーカット部が設けられ、該輪状カッター部材には少なくとも２箇所の鍔が設けられており、該輪状カッター部材とキャップの組付けは、輪状カッター部材収納状態と、輪状カッター部材使用状態と、の二種類の状態に選択・組付け可能であり、該収納状態にあっては、該輪状カッター部材は、刃が該キャップ天面側に向いた状態で保護・格納され、かつ、該輪状カッター部材の鍔が該キャップ凹部を外れた位置で該アンダーカットにより係止・組付けされ、該使用状態にあっては、該輪状カッター部材は、刃が該キャップの内方から開口側を向いた状態で配置され、かつ、該輪状カッター部材の鍔が該キャップの凹部の下端部に係止・組付けられることを特徴としている。
【発明の効果】
【００１３】
請求項１に記載の発明では、カッター未使用時にはキャップにより刃が保護され、さらに、キャップの外方側から凹部（キャップの口部から内方を見た場合は凸部）を外した位置に鍔を収めるので輪状カッター部材はキャップの奥に格納できるので、容器天面部と輪状カッター部材が干渉してキャップが容器に係止出来なくなる虞がない。カッター使用時には刃がキャップ下方に向いた状態で、さらに、キャップの凹部下端部（キャップ口部側から内方を見た場合は凸部上端部）に鍔を係止するので、輪状カッター部材はキャップを容器に係止する前後に輪状カッター部材の刃が容器天面のフィルム部に接触し突き破れる位置まで配置することが可能である。またキャップの凹部に指を掛けやすくなり、フィルム蓋を突き刺し切開後、開封具をつかんで回転開封する動作が行い易くなる。
【００１４】
また、鍔や凹部を２箇所以上設ける配置することで、刃の組付けは安定し、フィルム蓋を回転開封する際も輪状カッターはキャップにしっかり固定できる。より好ましくは４箇所以上設けると、輪状カッター部材の撓みを防止できるため好ましい。
【００１５】
請求項２に記載した発明では、簡易的に輪状カッター部材をキャップに組付け、輪状カッターをキャップから外れにくくすることで輪状カッターとキャップを一体物の開封具として使用可能である。
【００１６】
請求項３に記載の発明では、輪状カッター部材収納状態から、キャップの奥方に収納されている輪状カッター部材を取り外す際、輪の内方に設けられているフランジに指を掛けて輪状カッター部材をキャップから取り外しやすくなる。
【００１７】
請求項４に記載の発明では、一度にフィルムが突き破れることが無いため、安全にフィルム部を切開でき、さらに回転開封動作でフィルム部を切り落としても、開封具が容器の中に落ちてしまうこともない。
【００１８】
請求項５に記載の発明では、粉体を陽圧で封入したフィルムを有する蓋付きの缶に対し、突き刺し切開で陽圧ガスを抜き、回転開封動作でフィルムを切り落とす安全開封動作が可能であるため、好適である。
【００１９】
請求項６に記載の発明では、刃を下向きに突出させた状態でキャップに組付け刃がフィルム缶蓋のフィルム部を開封する時にキャップがフィルム部を覆う状態になるので、開封時の内容物のまたはガスの顔への吹き出しを防ぐことができる。
【００２０】
輪状カッター部材はキャップ内に組付けて取り付けることができるので、未開封時にも輪状カッター部材を缶容器に付属させることが容易である。
【００２１】
開封時のカッターの回転はカッターを組付けたキャップごとに行うことになりキャップはカッターより大径であるので、小さな力で容易に膜体を切断することができる。
【００２２】
請求項７に記載の発明では、輪状カッター部材の位置決めが確実である。
【００２３】
請求項８に記載の発明では、輪状カッター部材の保持が確実である。
【００２４】
請求項９に記載の発明では、凹部２７の形状はキャップ２１の胴部２４を外側から内側にへこませただけの形状であるので、材料も増加せず、別部材も必要としないので凹部の形成が容易である。
【発明を実施するための最良の形態】
【００２５】
以下、この発明の詳細を一実施態様を示す図面について説明する。
図１において１はオーバーキャップ型開封具であり、缶容器２に装着されて使用されるものである。
【００２６】
缶容器２は図６、図７に示すように、缶胴３の上端に容器蓋４を巻締部５において巻き締め固着したものである。容器蓋４は外側部分のめがね蓋６と中央部分のフィルム部７とからなっている。
【００２７】
めがね蓋６は容器蓋４の中心線９を共通の中心とする環状の金属板製で、内周縁部にカール部８を有し、中央部に開口１１を有する。フィルム部７はめがね蓋６の内面にヒートシール、または接着シールされて、めがね蓋６の開口１１を閉じている。
【００２８】
この容器蓋４のフィルム部７がこの発明のオーバーキャップ型開封具１による切り裂き開封の対象例である。
【００２９】
図１〜３に示すように、オーバーキャップ型開封具１はキャップ２１と輪状カッター部材２２とからなっている。輪状カッター部材２２はキャップ２１にアンダーカット４３と鍔３５との係止により分離可能に組付けられている。
【００３０】
オーバーキャップ型開封具１のキャップ２１は輪状カッター部材２２が組付けられた状態で缶胴３の頂部の容器蓋４を覆う状態で缶胴３の頂部にアンダーカット２３により嵌合し、中心線９の回りに回転可能である。図２に示すように、キャップ２１は筒状の胴部２４とその上端部を閉じる天板部２５とが囲む下端開放の空間２６を構成しており、この空間２６内の周辺部には中心線９回りの一周のうちの所定の角度位置（図４のθ１）、図示の場合は０°、９０°、１８０°、２７０°の４位置において、かつ所定の角度範囲（θ２）（図示の場合は約４５°）で、取り付け台座部として機能する凹部２７が外周部から内方に向けて張出している。凹部２７の内端２８（図２）の半径方向位置はＲ１である。また凹部２７の下面３１の高さ位置はｈ１である。
【００３１】
図３に示すように、輪状カッター部材２２はフレーム３２を有し、フレーム３２の下面に中心線９方向に延出する刃３３が設けられている。刃３３の側面にはガス抜き溝２９が形成されている。フレーム３２は環状のフレーム本体３４とその外方に張り出している取り付け部として機能する鍔３５とを有している。鍔３５はフレーム本体３４の周囲から中心線９回りの一周のうちの所定の角度位置（θ３）、図示の場合は０°、９０°、１８０°、２７０°の４位置において、かつ所定の角度範囲（θ４）（図示の場合は約４５°）で、フレーム本体３４から半径方向に突出している。凹部２７の下面３１には係止用凸状３６（図２）が設けられており、鍔３５には係止用孔３７（図３）が形成されている。輪状カッター部材２２の刃３３の刃先の形状は波状であり、後述するように、輪状カッター部材２２を容器蓋のフィルム部７に押し込み、フィルム部７に突き刺し切開した際、フィルム部７が輪状に既切部、未切部が交互に配置されるように部分的に切り開かれ、この未切部が一箇所当たり３ｍｍ以上切れ残るようにする。またこのための押し込み量を規制するストッパー４４を設ける。
【００３２】
キャップ２１では胴部２４の胴壁の４箇所が内側に凹入して、内側から見れば空間２６内に突出した４ヶの凹部２７が形成される結果、外側から見れば、胴部２４の胴壁がへこんでへこみ４１が形成されたことになる。このへこみ４１は上述の凹部２７としての機能だけでなく、後述する指掛け４２若しくは滑り止めとしても機能するものである。
【００３３】
このように構成されたオーバーキャップ型開封具１の作用は次の通りである。
【００３４】
オーバーキャップ型開封具１は未開封の缶容器２に付属される。缶容器２の未開封時、すなわち缶容器２の流通時においては、図１に示すように、オーバーキャップ型開封具１はキャップ２１に輪状カッター部材２２が組付けられた状態で缶容器２の頂部の巻締部５（図６）にアンダーカット２３を利用して嵌合し、容器蓋４を覆っている。この時、輪状カッター部材２２は刃３３を上向きにして刃先がキャップ２１の天板部２５にほとんど触れる状態となっており、輪状カッター部材２２のフレーム３２のフレーム本体３４がキャップ２１の凹部２７の内側に嵌入し、鍔３５が隣り合う２つの凹部２７の間に嵌入した状態で、キャップ２１のアンダーカット４３により空間２６内に保持されている。刃先は天板部２５に接触してもよいが、内方ストッパーとなる段差部５４によって鍔３５の上方移動も制限し、刃先が天板部２５へ当たらなくすると、カッター部材２２を納めたキャップ２１を缶容器２へ天板部２５から押圧して嵌合係止する際天板部２５で刃先を痛めるおそれがなく、好ましい。
【００３５】
次に缶容器２の容器蓋４を開封する場合は、まず缶容器２の頂部に嵌合しているキャップ２１をはずし、次にキャップ２１から内方フランジ５０を指で摘んで輪状カッター部材２２を分離し、輪状カッター部材２２を反転させ、図４に示すように、刃３３を下に向けた状態で再びキャップ２１に組付ける。このとき、輪状カッター部材２２のフレーム３２のフレーム本体３４はキャップ２１の凹部２７より中心線９寄りに位置し、鍔３５が凹部２７の下面に当接し、鍔３５の係止用孔３７が凹部２７の係止用凸状３６に嵌着して固定される。このときガイド５２（図１、２、４）を設けておくと嵌着前に位置決めができ、さらに後述するキャップ２１の回転によるフィルム部７の引き切りの際の支えにもなり好ましい。こうして輪状カッター部材２２をキャップ２１に組付けたオーバーキャップ型開封具１を再び缶容器２の頂部に嵌合させる。このとき刃３３は缶容器２の容器蓋４のフィルム部７に対向し、位置もほぼフィルム部７の切り始め位置（カール部８の内縁）に決まっている。
【００３６】
この状態から、開封操作としてオーバーキャップ型開封具（キャップ２１）を手で中心線９方向に押し下げると、刃３３がフィルム部７に突き刺さって開封し、ガス抜きが行われる。このとき仮に内容物の吹き出しがあっても、ガス抜き溝２９を通して空間２６に流れ、それはキャップ２１によって止められる。ついで、図５に示すようにキャップ２１の外側から指掛け４２に指をかけてキャップ２１を中心線９回りに回転させると輪状カッター部材２２の刃３３がフィルム部７を引き切り、缶容器２の開口１１が開き、キャップ２１を取り外せば開口１１から内容物の取り出しが可能となる。
【００３７】
このようにこの開封具では、フィルム蓋体を有する陽圧缶の開封時にガス放出速度及びガス放出状態を良好に調整して、内容物を巻き込んだガスの吹き出しを防ぐことができ、また、開封時の切刃の動作を安定させて、フィルム蓋体の切断動作を良好にし、切断後のフィルム蓋体の容器内への落ち込みを防止することができ、しかも切断後の開口エッジも形良く、整形にすることができ、さらに、開封操作に要する力も小さくてすみ、その結果、簡便かつ安全に開口できるフィルム缶蓋の開封具を得ることできる。
【００３８】
なお、輪状カッター部材２２は輪の一部が途切れていても１つの部材として繋がってあれば形態は特に問わないし、円筒に近い多角形筒状でもよい。また容器も、めがね蓋６と缶胴３の封止、フィルム部７のめがね蓋６への貼り付け方は本形態に限らず、適宜変更可能である。
【図面の簡単な説明】
【００３９】
【図１】開封具を示す図で、（ａ）は平面図、（ｂ）は縦断面図、（ｃ）は底面図である。
【図２】キャップの縦断面図。
【図３】カッター部材を示す図で、（ａ）は刃を下に向けた状態の縦断面図、（ｂ）は刃を上に向けた状態の縦断面図、（ｃ）は平面図である。
【図４】使用時の開封具を示す図で、（ａ）は平面図、（ｂ）は縦断面図、（ｃ）は底面図である。
【図５】開封具の操作状態を示す斜視説明図。
【図６】缶容器を示す縦断面図。
【図７】缶容器を示す平面図。
【符号の説明】
【００４０】
１    オーバーキャップ型開封具
２    缶容器
３    缶胴
４    容器蓋
５    巻締部
６    めがね蓋
７    フィルム部
８    カール部
９    中心線
１１  開口
２１  キャップ
２２  輪状カッター部材
２３  アンダーカット
２４  胴部
２５  天板部
２６  空間
２７  凹部
２８  内端
２９  ガス抜き溝
３１  下面
３２  フレーム
３３  刃
３４  フレーム本体
３５  鍔
３６  係止用凸状
３７  係止用孔
４１  へこみ
４２  指掛け
４３  アンダーカット
４４  ストッパー
５０  内方フランジ
５２  ガイド
５４  段差部
【図１】
2007084083.tif 000003
【図２】
2007084083.tif 000004
【図３】
2007084083.tif 000005
【図４】
2007084083.tif 000006
【図５】
2007084083.tif 000007
【図６】
2007084083.tif 000008
【図７】
2007084083.tif 000009